(57)【要約】【課題】ノイズの発生を抑止して負荷機器に過電圧・過電流などの影響を与えない電圧制御装置を提供すること。【解決手段】少なくとも負荷機器と交流電源との間に設けられる電圧制御装置であって、交流電源側から得られる電圧波形に対して、その電圧の瞬時電圧値が略０ボルト時において、負荷機器への電圧供給を抑制または停止させる第１出力状態を開始し、略０ボルト時から所定時間、第１出力状態を継続することで、交流電源側から得られる電圧の瞬時電圧値が略０ボルト時、すなわちノイズの発生原因となる電圧が瞬時的に掛かっていない状態において、電圧の供給を抑制または停止させる第１出力状態を開始するため、この第１出力状態の開始の際に、ノイズの発生を抑止して負荷機器に過電圧・過電流などの影響を与えない。【選択図】図４
2008146452.tif 000002
【特許請求の範囲】
【請求項１】
少なくとも負荷機器と交流電源との間に設けられる電圧制御装置であって、
交流電源側から得られる電圧波形に対して、その電圧の瞬時電圧値が略０ボルト時において、前記負荷機器への電圧供給を抑制または停止させる第１出力状態を開始し、前記略０ボルト時から所定時間、前記第１出力状態を継続することを特徴とする電圧制御装置。
【請求項２】
前記第１出力状態を開始し、前記略０ボルト時から所定時間の経過後、交流電源側から得られる交流電圧を前記負荷機器に供給する第２出力状態を開始し、交流電源側から得られる電圧の瞬時電圧値が次の略０ボルト時において、再び前記第１出力状態を開始し、以降、同様に前記第１出力状態と前記第２出力状態とを繰返し実施することを特徴とする請求項１に記載の電圧制御装置。
【請求項３】
前記第１出力状態において、前記負荷機器への電圧供給を略０ボルトにすることを特徴とする請求項１または２に記載の電圧制御装置。
【請求項４】
前記第１出力状態を継続させる所定時間を可変に設定し、異なる電圧波形を形成できるようにしたことを特徴とする請求項１ないし３のいずれかに記載の電圧制御装置。
【請求項５】
所定の時間、前記第１出力状態を継続して形成される電圧波形から、該所定の時間よりも短い時間、前記第１出力状態を継続して形成される所望の電圧波形に移行する際に、前記両時間よりも更に短い時間、前記第１出力状態を継続して形成される電圧波形を開始し、所定周期、該電圧波形を形成した後に、前記所望の電圧波形に移行することを特徴とする請求項４に記載の電圧制御装置。
【請求項６】
所定の時間、前記第１出力状態を継続して形成される電圧波形から、該所定の時間よりも長い時間、前記第１出力状態を継続して形成される所望の電圧波形に移行する際に、前記両時間よりも更に長い時間、前記第１出力状態を継続して形成される電圧波形を開始し、所定周期、該電圧波形を形成した後に、前記所望の電圧波形に移行する請求項４または５に記載の電圧制御装置。
【発明の詳細な説明】
【技術分野】
【０００１】
本発明は、負荷機器と交流電源との間に設けられる電圧制御装置に関する。
【背景技術】
【０００２】
従来の電圧制御は、サイリスタ等の半導体素子を用いて高速で電流を導通、遮断する動作を行うため、この動作の際にノイズを発生する。発生したノイズは、モータ等の負荷機器のみならず、他の機器に対しても誤動作、雑音発生などの悪影響を及ぼすため除去する必要がある。そのため、例えば電源端子と全波整流器との間に、コイルとコンデンサから構成されたノイズフィルタが設けられる場合がある。
（例えば、特許文献１参照）。
【０００３】
【特許文献１】特開２００６−１１３９９０号公報（第２頁、第１図）
【発明の開示】
【発明が解決しようとする課題】
【０００４】
しかしながら、特許文献１にあっては、ノイズが発生する状況下では、ノイズフィルタの構成に費用を要するばかりか、ノイズフィルタの構成によっても、発生するノイズを完全に抑止できずに、負荷機器に過電圧・過電流などの影響を与える虞が生じていた。
【０００５】
本発明は、このような問題点に着目してなされたもので、ノイズの発生を抑止して負荷機器に過電圧・過電流などの影響を与えない電圧制御装置を提供することを目的とする。
【課題を解決するための手段】
【０００６】
上記課題を解決するために、本発明の請求項１に記載の電圧制御装置は、
少なくとも負荷機器と交流電源との間に設けられる電圧制御装置であって、
交流電源側から得られる電圧波形に対して、その電圧の瞬時電圧値が略０ボルト時において、前記負荷機器への電圧供給を抑制または停止させる第１出力状態を開始し、前記略０ボルト時から所定時間、前記第１出力状態を継続することを特徴としている。
この特徴によれば、交流電源側から得られる電圧の瞬時電圧値が略０ボルト時、すなわちノイズの発生原因となる電圧が瞬時的に掛かっていない状態において、電圧の供給を抑制または停止させる第１出力状態を開始するため、この第１出力状態の開始の際に、ノイズの発生を抑止して負荷機器に過電圧・過電流などの影響を与えない。
【０００７】
本発明の請求項２に記載の電圧制御装置は、請求項１に記載の電圧制御装置であって、
前記第１出力状態を開始し、前記略０ボルト時から所定時間の経過後、交流電源側から得られる交流電圧を前記負荷機器に供給する第２出力状態を開始し、交流電源側から得られる電圧の瞬時電圧値が次の略０ボルト時において、再び前記第１出力状態を開始し、以降、同様に前記第１出力状態と前記第２出力状態とを繰返し実施することを特徴としている。
この特徴によれば、常時、ノイズの発生原因となる電圧が瞬時的に掛かっていない状態において、電圧の供給を抑制または停止させる第１出力状態が繰返し現れるため、ノイズの発生を抑止した状態を継続させ、第２出力状態において安定した電圧の供給を実施することが出来る。
【０００８】
本発明の請求項３に記載の電圧制御装置は、請求項１または２に記載の電圧制御装置であって、
前記第１出力状態において、前記負荷機器への電圧供給を略０ボルトにすることを特徴としている。
この特徴によれば、負荷機器への電圧供給の回路を遮断することで、負荷機器への電圧供給を略０ボルトにすることとなり、負荷機器の電圧制御を簡便に行うことが出来る。
【０００９】
本発明の請求項４に記載の電圧制御装置は、請求項１ないし３のいずれかに記載の電圧制御装置であって、
前記第１出力状態を継続させる所定時間を可変に設定し、異なる電圧波形を形成できるようにしたことを特徴としている。
この特徴によれば、第１出力状態を継続させる所定時間を可変に設定し、異なる電圧波形を形成できるようにしたことで、負荷機器の出力を任意に調節出来る。
【００１０】
本発明の請求項５に記載の電圧制御装置は、請求項４に記載の電圧制御装置であって、
所定の時間、前記第１出力状態を継続して形成される電圧波形から、該所定の時間よりも短い時間、前記第１出力状態を継続して形成される所望の電圧波形に移行する際に、前記両時間よりも更に短い時間、前記第１出力状態を継続して形成される電圧波形を開始し、所定周期、該電圧波形を形成した後に、前記所望の電圧波形に移行することを特徴としている。
この特徴によれば、所定の時間、前記第１出力状態を継続して形成される電圧波形から、これより第１出力状態の継続時間が短い所望の電圧波形に移行する際に、一時的に第１出力状態の継続時間が更に短い電圧波形を経由して、所望の電圧波形に移行することで、負荷機器の出力を強める変更に対しても、負荷機器の出力の移行をスムーズに行うことが出来る。
【００１１】
本発明の請求項６に記載の電圧制御装置は、請求項４または５に記載の電圧制御装置であって、
所定の時間、前記第１出力状態を継続して形成される電圧波形から、該所定の時間よりも長い時間、前記第１出力状態を継続して形成される所望の電圧波形に移行する際に、前記両時間よりも更に長い時間、前記第１出力状態を継続して形成される電圧波形を開始し、所定周期、該電圧波形を形成した後に、前記所望の電圧波形に移行することを特徴としている。
この特徴によれば、所定の時間、前記第１出力状態を継続して形成される電圧波形から、これより第１出力状態の継続時間が長い所望の電圧波形に移行する際に、一時的に第１出力状態の継続時間が更に長い電圧波形を経由して、所望の電圧波形に移行することで、負荷機器の出力を弱める変更に対しても、負荷機器の出力の移行をスムーズに行うことが出来る。
【発明を実施するための最良の形態】
【００１２】
本発明の実施例を以下に説明する。
【実施例１】
【００１３】
本発明の実施例を図面に基づいて説明すると、先ず図１は、本発明の実施例１における電圧制御装置を備えた客室の平面図である。図２は、電圧制御装置の配線の状況を示す概略図である。図３は、電圧制御装置の制御の状況を示すブロック図である。図４（ａ）は、交流電源側から得られる電圧波形及び本発明の電圧制御装置により強状態に制御された電圧波形を示す概略図であり、（ｂ）は、（ａ）と同じく中状態に制御された電圧波形を示す概略図であり、（ｃ）は、（ａ）と同じく弱状態に制御された電圧波形を示す概略図であり、（ｄ）は、従来の電圧制御装置により制御された電圧波形を示す概略図である。図５（ａ）は、冷暖房時の自動運転で制御された送風機の送風量を示す概略図であり、（ｂ）は、通常空調時の自動運転で制御された送風機の送風量を示す概略図である。図６（ａ）は、弱状態から中ボタンを押圧操作した場合の電圧波形を示す概略図であり、（ｂ）は、停止状態から中ボタンを押圧操作した場合の電圧波形を示す概略図であり、（ｃ）は、停止状態から弱ボタンを押圧操作した場合の電圧波形を示す概略図である。図７（ａ）は、中状態から弱ボタンを押圧操作した場合の電圧波形を示す概略図であり、（ｂ）は、強状態から中ボタンを押圧操作した場合の電圧波形を示す概略図であり、（ｃ）は、強状態から弱ボタンを押圧操作した場合の電圧波形を示す概略図である。
【００１４】
先ず、図1に示されるように、本発明の実施例としての電源供給システムの構成が示される。本発明の居室であるホテルの客室１は、カードキーにて開錠可能な開閉扉５で入退室でき、客室１内は、バス２とデスク３とベッド４、４とが配設されている。
【００１５】
次に、図２に示されるように、客室１内における電圧制御装置の配線の状況について説明すると、客室１内において、客室１外部から供給される１００ボルトの交流電源を供給する主電源ケーブルが、駆動ユニット２０の端子ｓ１、ｓ２に接続されている。また、アースケーブルが端子ｓ３に接続されている。
【００１６】
また、客室１の入口部近傍の壁面には、図３に示されるように、入室確認装置であって、表示部１０ａとキー挿入部１０ｂとを有するキーユニット１０が設けられており、信号ケーブルが駆動ユニット２０の端子ｓ５、ｓ６に接続されている。
【００１７】
更に、１００ボルトの交流電源で駆動可能の負荷機器として、送風機１６の電源ケーブルが端子ｓ４、ｓ７に接続されている。同様に、特に図示しないが、１００ボルトの交流電源で駆動可能の負荷機器として、バス灯１１、デスク灯１２、ベッド灯１３、室内灯１４と、テレビ１５等が図示しない電源ユニットに接続されており、後述する電源供給状態において電源が供給されるようになっている。
【００１８】
また、客室１内におけるこれら負荷機器は、個別に電力負荷のオン状態若しくはオフ状態を入切可能とする図示しないオン／オフスイッチを有しており、客室１内において適宜個別に上述した送風機１６、各照明若しくはテレビ１５を入切できるようになっている。
【００１９】
客室１の使用者が、カードキーをキー挿入部１０ｂに挿入することで、駆動ユニット２０を電源供給状態とし、客室１内の全ての負荷機器に電源が供給可能となる。すなわち、客室１の使用者が、客室１内において個別に負荷機器のオン／オフスイッチをオン／オフ操作できるようになる。
【００２０】
次に、客室１内の空調システムについて説明する。
【００２１】
本実施例の空調システムは、客室１等を有するホテル屋外に配置される図示しない室外機と、客室１の壁面上部に開口した送風口（図示略）の背面側に配設された送風機１６と、室外機及び送風機１６を接続する冷媒管６とからなる。空調システムの基本的な構成は、一般事務所ビルやホテル等の複数の居室を有するビルなどにおいて一般的に採用される空調のシステムと同様であって、室外機を構成する冷暖房切替ユニット（図示略）にて冷媒管６内を流動する冷媒（温媒）の供給方向を切替えることで、冷暖房運転の切替が可能である。尚、空調システムの構成については、少なくとも送風機を有していれば、他の機器構成は必ずしも上述したものに限られず、一般に用いられる他の空調のシステムであってもよい。
【００２２】
また、冷媒管６の管温度を検知する管温センサ７が、冷媒管６の外周面に取付けられているとともに、駆動ユニット２０の端子ｓ１１、ｓ１２に接続された信号線と連続しており、管温センサ７で検知した管温情報が、駆動ユニット２０を介して制御部２５に伝達されるように成っている（図３参照）。
【００２３】
更に、冷媒管６の内部を流通する冷媒（温媒）を開放・閉塞可能に構成された二方弁８が、冷媒管６を構成する管路に設けられており、この二方弁８を開閉する信号ケーブルが、端子ｓ８、ｓ９、ｓ１０に接続されている。
【００２４】
送風機１６は、客室１内の壁面に開口した送風口（図示略）に向けて空気を送り出し可能な送風ファン及びこれに回転駆動力を伝達するモータから主として成り、後述のように制御された電圧波形を有する交流電圧を供給することで、前記モータを駆動して前記送風ファンを回転させ、冷媒管６近傍の暖かい若しくは冷たい空気を送風口に向かって送り出し、客室１内を所定に空調する。
【００２５】
次に、本発明の電圧制御装置について説明する。
【００２６】
図３に示されるように、本発明の電圧制御装置は、主に、負荷機器としての送風機１６に交流電源側から得られる電圧を供給または停止可能に接続された出力部１９を有する駆動ユニット２０と、交流電源側から得られる瞬時電圧値を検知する電圧検知部２４と、所定時間を可変に設定可能なタイマ２６と、入力情報を入力可能な入力部２２と、これらを制御可能に接続された制御部２５と、から構成されている。そして後述のように、制御部２５は、入力部２２に入力された入力情報と、タイマ２６に設定された所定時間及び、電圧検知部２４で検知された略０ボルト時に基づいて、出力部１９を出力状態若しくは非出力状態に切替える。
【００２７】
図１右側に示されるように、客室１内のキーユニット１０近傍の壁面には、操作パネル２１が設けられている。操作パネル２１には、入力部２２としての設定温度のＵＰボタンｂ１及びＤＯＷＮボタンｂ２、並びに空調システムの起動ボタンとしての手動ボタン（強ボタンｂ３、中ボタンｂ４、弱ボタンｂ５）、自動ボタンｂ６、そして停止ボタンｂ７が設けられている。後述のように、客室１の使用者が、この操作パネル２１の入力部２２（ボタンｂ１〜ｂ７）を適宜押圧操作することにより、入力情報が制御部２５に入力されるとともに、制御部２５が負荷機器としての送風機１６の運転を制御する。他に、操作パネル２１には、客室１内の室内温度を検知するとともに、検知した室内温度情報を制御部２５に伝達する室温センサ２３が設けられている。
【００２８】
次に、電圧制御装置により制御される電圧波形について説明する。
【００２９】
図４（ａ）に示されるように、交流電源側から供給される電圧は、その電圧波形が大きさと方向とを経時的に周期変化する正弦波を描く正弦波交流であり、電圧検知部２４は、正弦波交流の瞬時電圧値を検知するものである。
【００３０】
タイマ２６は、入力部２６ａにより予め複数の所定時間を可変に設定し、異なる電圧波形を形成できるように構成されているとともに、負荷機器の負荷状態に対応するように、設定された複数の所定時間のいずれかを選択出来るように成っている。より具体的には、送風機１６の送風量が強状態、中状態、弱状態の３段階に調節されることに対応して、強状態の場合の所定時間を０ミリ秒としている。つまり強状態では、交流電源から得られる正弦波交流のまま送風機１６に供給している（図４（ａ）参照）。そして、中間状態の場合の所定時間をＡミリ秒（本実施例のＡミリ秒は、０ミリ秒超且つ正弦波交流の４分の１周期未満）とし（図４（ｂ）参照）、弱状態の場合の所定時間をＢミリ秒（本実施例のＢミリ秒は正弦波交流の４分の１周期）としている（図４（ｃ）参照）。尚、上述した中状態若しくは弱状態の所定時間は、必ずしも本実施例に限られず、０ミリ秒以上且つ正弦波交流の２分の１周期以下において定めた所定の時間であればよい。
【００３１】
そして、図４（ｂ）に示されるように、送風機１６の送風量が中状態における電圧制御について説明すると、制御部２５は、電圧検知部２４が正弦波交流の略０ボルト時を検知した時ｔ１において、出力部１９を非出力状態に切替え、送風機１６への電圧供給を略０ボルトにする、すなわち電圧供給を停止する第１出力状態を開始し、この略０ボルト時からタイマ２６に設定された所定時間（Ａミリ秒）、第１出力状態を継続する。そして、制御部２５は、第１出力状態の後（ｔ２）、出力部１９を出力状態に切替え、交流電源側から得られる交流電圧を送風機１６に供給する第２出力状態を開始し、交流電源側から得られる電圧の瞬時電圧値が次に略０ボルト時となる（ｔ３）までの間、第２出力状態を継続する。制御部２５は、以降、上述した第１出力状態と第２出力状態とを繰返し実施するように成っている。
【００３２】
同様に、図４（ｃ）に示されるように、送風機１６の送風量が弱状態における電圧制御について説明すると、制御部２５は、電圧検知部２４が正弦波交流の略０ボルト時を検知した時ｔ４において、出力部１９を非出力状態に切替え、送風機１６への電圧供給を停止する第１出力状態を開始し、この略０ボルト時からタイマ２６に設定された所定時間（Ｂミリ秒（ＢはＡより大））、第１出力状態を継続する。そして、制御部２５は、第１出力状態の後（ｔ５）、出力部１９を出力状態に切替え、交流電源側から得られる交流電圧を送風機１６に供給する第２出力状態を開始し、交流電源側から得られる電圧の瞬時電圧値が次に略０ボルト時となる（ｔ６）までの間、第２出力状態を継続する。制御部２５は、以降、上述した第１出力状態と第２出力状態とを繰返し実施するように成っている。
【００３３】
因みに、図４（ｄ）に示されるように、従来の送風機における電圧制御について説明すると、正弦波交流の略０ボルト時を検知した時ｔ７から、所定時間の経過時ｔ８までの間、電圧を供給する第１の制御（ｔ７〜ｔ８）と、所定時間の経過時ｔ８から、再び正弦波交流の略０ボルト時を検知した時ｔ９までの間、電圧の供給を停止する第２の制御（ｔ８〜ｔ９）とを、以降、繰返し行うように成っている。この所定時間の経過時ｔ８において、電圧を供給する供給状態から電圧を遮断する遮断状態に切替える際に、瞬時的に電圧が急激に高まるいわゆるノイズが発生し、このノイズにより負荷機器に過電圧・過電流などの好ましくない影響を与えることになる。尚、この所定時間の経過時ｔ８を比較的短く調整することで、負荷機器の出力を弱状態とし、逆に、経過時ｔ８を比較的長く調整することで、負荷機器の出力を中状態から強状態に移行することができる。
【００３４】
次に、自動モード運転について説明する。
【００３５】
先ず、図５（ａ）に示されるように、冷暖房時の自動モード運転について説明すると、客室１の使用者が、操作パネル２１の自動ボタンｂ６を押圧操作するとともに、ＵＰボタンｂ１若しくはＤＯＷＮボタンｂ２の押圧操作により、設定温度を任意に定めると、制御部２５は、先ず定められた設定温度と、室温センサ２３により検知された客室１内の室内温度との温度差を算出する。そして、この温度差が一定以上の場合（本実施例では温度差が４度超の場合）、送風機１６の送風量を強状態に設定して、この強状態に対応した所定時間（０ミリ秒）にて交流電圧を制御し、制御した電圧を送風機１６に伝達する。
【００３６】
次に、上記のように客室１内が送風されたことで、設定温度と室内温度との温度差が所定の範囲内の場合（本実施例では温度差が１度超４度以下の場合）、送風機１６の送風量を中状態に設定して、この中状態に対応した所定時間（Ａミリ秒）にて交流電圧を制御し、制御した電圧を送風機１６に伝達する。更に、上記のように客室１内が送風されたことで、設定温度と室内温度との温度差が所定の範囲内となった場合（本実施例では温度差が０度超１度以下の場合）、送風機１６の送風量を弱状態に設定して、この弱状態に対応した所定時間（Ｂミリ秒）にて交流電圧を制御し、制御した電圧を送風機１６に伝達する。上記のように、前段の運転として、設定温度と室内温度との温度差に対応して、送風機１６の送風量を段階的に変更する。
【００３７】
そして後段の運転として、上記のように客室１内が送風されたことで、設定温度と室内温度との温度差が無くなった場合（温度差が０度の場合）、制御部２５は、出力部１９を遮断して非出力状態とし、送風機１６への電源供給を停止する。以降、制御部は、再び温度差が所定の範囲内となった場合の送風量の弱状態と、温度差が無くなった場合の非出力状態と、を繰返し制御する。
【００３８】
次に、図５（ｂ）に示されるように、通常空調時の自動モード運転について説明すると、上記した前段の運転は同様であるが、後段の運転として、設定温度と室温との温度差が無くなった場合においても、制御部２５は、送風量の弱状態を維持し続ける。このようにすることで、客室１内の空気の滞留を防ぎ、新鮮な空気の流動を常時確保することができる。
【００３９】
尚、上記した自動運転モードにおける制御において、設定温度と室内温度との温度差による送風量の制御については、温度差の具体的数値は上記実施例に限られるものではなく、また、段階的な送風量の変更についても、上記の強、中、弱状態及び停止状態のみに限られず、例えば、起動状態及び停止状態のみであってもよいし、送風量を無段階に変速できるものであってもよい。
【００４０】
次に、手動モード運転について説明する。
【００４１】
客室１の使用者が、操作パネル２１の強ボタンｂ３を押圧することで、対応してタイマ２６に予め設定された所定時間（０ミリ秒）が選択される。同様に、使用者が中ボタンｂ４若しくは弱ボタンｂ５を押圧操作することで、それぞれ対応してタイマ２６に予め設定された所定時間（Ａミリ秒、Ｂミリ秒）が選択される。そして選択された所定時間により制御された波形の電圧が、送風機１６に供給されて客室１内に送風がなされる。
【００４２】
また、上記したボタンｂ３、ｂ４、ｂ５のいずれかを押圧操作することで、対応した送風量の状態（強状態、中状態、弱状態）で送風しているときに、これと他のボタンを押圧操作すれば、この状態とは別の状態で送風することができる。
【００４３】
より具体的には、図６（ａ）に示されるように、例えば、変更前の状態として弱ボタンｂ５を押圧操作して弱状態で送風運転しているときに、中ボタンｂ４を押圧操作すると、制御部２５により、一旦、送風機１６に強状態で制御された電圧を供給して所定周期（本実施例では２周期）経過した後に、変更後の状態として中状態で制御された電圧を供給する。
【００４４】
このように、変更前の送風量と比べて、変更後の送風量をより大きくする変更操作を行う場合、すなわち所定の時間（Ｂミリ秒）、第１出力状態を継続して形成される電圧波形から、この所定の時間（Ｂミリ秒）より短い時間（Ａミリ秒）に設定し、第１出力状態を継続して形成される所望の電圧波形に移行する際に、制御部２５が、一旦、変更後の送風量よりも更に大きい送風量に設定し、すなわち前記両時間（Ｂミリ秒、Ａミリ秒）より更に短い時間（０ミリ秒）、第１出力状態を継続して形成される電圧波形を開始し、所定周期（本実施例では２周期）、この電圧波形を形成した後に、所望の大きい送風量に設定することで得られた慣性による継続的なモータ回転を利用して、モータの回転数を自然に落としつつ、前記した所望の電圧波形に移行し、変更後の所望の送風量とすることで、負荷機器としての送風機１６に過度の影響を与えずに、送風量の変更が出来る。
【００４５】
また、図６（ｂ）に示されるように、送風機１６が未だ起動されていない状態において、中ボタンｂ４を押圧操作すると、制御部２５が、一旦、所望の中状態の送風量よりも大きい強状態の送風量に設定し、すなわち所望の送風量に対応した時間（Ａミリ秒）より短い時間（０ミリ秒）、第１出力状態を継続して形成される電圧波形を開始し、所定周期（本実施例では２周期）、この電圧波形を形成した後に、この強状態の送風量に設定することで得られた慣性による継続的なモータ回転を利用して、モータの回転数を自然に落としつつ、上述した第１出力状態と第２出力状態とを繰り返して、所望の中状態の送風量とすることで、負荷機器としての送風機１６に過度の影響を与えずに、送風量の変更が出来る。
【００４６】
同様に、図６（ｃ）に示されるように、送風機１６が未だ起動されていない状態において、弱ボタンｂ５を押圧操作すると、制御部２５が、一旦、所望の弱状態の送風量よりも大きい強状態の送風量に設定し、すなわち所望の送風量に対応した時間（Ｂミリ秒）より短い時間（０ミリ秒）、第１出力状態を継続して形成される電圧波形を開始し、所定周期（本実施例では２周期）、この電圧波形を形成した後に、この強状態の送風量に設定することで得られた慣性による継続的なモータ回転を利用して、モータの回転数を自然に落としつつ、上述した第１出力状態と第２出力状態とを繰り返して、所望の弱状態の送風量とすることで、負荷機器としての送風機１６に過度の影響を与えずに、送風量の変更が出来る。
【００４７】
尚、上述した電圧波形を継続する所定周期は、必ずしも本実施例の２周期に限られず、例えば、１周期でもよいし、３周期以上であっても構わない。また、この電圧波形における第１出力状態を継続する所定時間は、必ずしも０ミリ秒に限られず、所望の負荷出力より大きな負荷出力を発生しうるように定められた短い時間であってもよい。
【００４８】
また、図７（ａ）に示されるように、例えば、変更前の状態として中ボタンｂ４を押圧操作して中状態で送風運転しているときに、弱ボタンｂ５を押圧操作すると、制御部２５により、一旦、送風機１６への電圧供給を停止して所定周期（本実施例では２周期）経過した後に、変更後の状態として弱状態で制御された電圧を供給する。
【００４９】
このように、変更前の送風量と比べて、変更後の送風量をより小さくする変更操作を行う場合、すなわち所定の時間（Ａミリ秒）、第１出力状態を継続して形成される電圧波形から、この所定の時間（Ａミリ秒）より長い時間（Ｂミリ秒）に設定し、第１出力状態を継続して形成される所望の電圧波形に移行する際に、制御部２５が、一旦、送風機１６への電源供給を停止し、すなわち前記両時間（Ａミリ秒、Ｂミリ秒）よりも更に長い時間、第１出力状態を継続して形成される電圧波形を開始し、所定周期（本実施例では２周期）、この電圧波形を形成した後に、電源供給を停止しても暫く継続する慣性によるモータ回転を利用して、モータの回転数を自然に落としつつ、前記した所望の電圧波形にスムーズに移行し、変更後の所望の送風量とすることで、負荷機器としての送風機１６に過度の影響を与えずに、送風量の変更が出来る。
【００５０】
また、図７（ｂ）に示されるように、送風機１６が強状態で起動している場合において、中ボタンｂ４を押圧操作すると、制御部２５が、一旦、送風機１６への電源供給を停止し、すなわち所望の送風量に対応した時間（Ａミリ秒）よりも長い時間、第１出力状態を継続して形成される電圧波形を開始し、所定周期（本実施例では２周期）、この電圧波形を形成した後に、電源供給を停止しても暫く継続する慣性によるモータ回転を利用して、モータの回転数を自然に落としつつ、上述した第１出力状態と第２出力状態とを繰り返して、所望の中状態の送風量とすることで、負荷機器としての送風機１６に過度の影響を与えずに、送風量の変更が出来る。
【００５１】
同様に、図７（ｃ）に示されるように、送風機１６が強状態で起動している場合において、弱ボタンｂ５を押圧操作すると、制御部２５が、一旦、送風機１６への電源供給を停止し、すなわち所望の送風量に対応した時間（Ｂミリ秒）よりも長い時間、第１出力状態を継続して形成される電圧波形を開始し、所定周期（本実施例では２周期）、この電圧波形を形成した後に、電源供給を停止しても暫く継続する慣性によるモータ回転を利用して、モータの回転数を自然に落としつつ、上述した第１出力状態と第２出力状態とを繰り返して、所望の弱状態の送風量とすることで、負荷機器としての送風機１６に過度の影響を与えずに、送風量の変更が出来る。
【００５２】
尚、上述した電圧波形を継続する所定周期は、必ずしも本実施例の２周期に限られず、例えば、１周期でもよいし、３周期以上であっても構わない。また、この電圧波形における第１出力状態を継続する所定時間は、必ずしも負荷機器への電源供給の停止によって得られる時間に限られず、所望の負荷出力より小さな負荷出力を発生しうるように定められた短い時間であってもよい。
【００５３】
上記構成の電圧制御装置によれば、交流電源側から得られる電圧の瞬時電圧値が略０ボルト時、すなわちノイズの発生原因となる電圧が瞬時的に掛かっていない状態において、電圧の供給を抑制または停止させる第１出力状態を開始するため、この第１出力状態の開始の際に、ノイズの発生を抑止して負荷機器に過電圧・過電流などの影響を与えない。
【００５４】
また、上記構成の電圧制御装置によれば、常時、ノイズの発生原因となる電圧が瞬時的に掛かっていない状態において、電圧の供給を抑制または停止させる第１出力状態が繰返し現れるため、ノイズの発生を抑止した状態を継続させ、第２出力状態において安定した電圧の供給を実施することが出来る。
【００５５】
また、上記構成の電圧制御装置によれば、負荷機器への電圧供給の回路を遮断することで、負荷機器への電圧供給を略０ボルトにすることとなり、負荷機器の電圧制御を簡便に行うことが出来る。
【００５６】
更に、上記構成の電圧制御装置によれば、第１出力状態を継続させる所定時間を可変に設定し、異なる電圧波形を形成できるようにしたことで、負荷機器の出力を任意に調節出来る。
【００５７】
また、上記構成の電圧制御装置によれば、所定の時間、前記第１出力状態を継続して形成される電圧波形から、これより第１出力状態の継続時間が短い所望の電圧波形に移行する際に、一時的に第１出力状態の継続時間が更に短い電圧波形を経由して、所望の電圧波形に移行することで、負荷機器の出力を強める変更に対しても、負荷機器の出力の移行をスムーズに行うことが出来る。
【００５８】
また、上記構成の電圧制御装置によれば、所定の時間、前記第１出力状態を継続して形成される電圧波形から、これより第１出力状態の継続時間が長い所望の電圧波形に移行する際に、一時的に第１出力状態の継続時間が更に長い電圧波形を経由して、所望の電圧波形に移行することで、負荷機器の出力を弱める変更に対しても、負荷機器の出力の移行をスムーズに行うことが出来る。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、上記実施例では、交流電源は正弦波を描く正弦波交流であり、この正弦波交流が電圧制御装置により制御されているが、電圧制御装置は、例えば増幅装置により増幅された波形を制御するものであってもよいし、コンデンサの組合せにより発生する矩形波等を制御するものであってもよい。
【００６１】
また、上記実施例では、第１出力状態において電圧供給を停止させ、すなわち電圧供給を０ボルトとしているが、第１出力状態とは、必ずしも電圧供給を完全に停止した０ボルトに限られず、０ボルトに近似する電圧を供給する状態も包含するし、第２出力状態と比較して所定に抑制した電圧を送風機１６に供給する状態も包含する。
【００６２】
更に、上記実施例では、制御部２５は、出力部１９を非出力状態に切替え、送風機１６への電圧供給を抑制または停止させる第１出力状態と、出力部１９を出力状態に切替え、交流電源側から得られる交流電圧を送風機１６に供給する第２出力状態とを繰返し行っているが、例えば制御部は、第１出力状態と第２出力状態とを、交流電源の描く波形の所定の周期ごとに行ってもよいし、また、特定の周期のみにおいて行ってもよい。
【図面の簡単な説明】
【００６３】
【図１】本発明の実施例１における電圧制御装置を備えた客室の平面図である。
【図２】電圧制御装置の配線の状況を示す概略図である。
【図３】電圧制御装置の制御の状況を示すブロック図である。
【図４】（ａ）は、交流電源側から得られる電圧波形及び本発明の電圧制御装置により強状態に制御された電圧波形を示す概略図であり、（ｂ）は、（ａ）と同じく中状態に制御された電圧波形を示す概略図であり、（ｃ）は、（ａ）と同じく弱状態に制御された電圧波形を示す概略図であり、（ｄ）は、従来の電圧制御装置により制御された電圧波形を示す概略図である。
【図５】（ａ）は、冷暖房時の自動運転で制御された送風機の送風量を示す概略図であり、（ｂ）は、通常空調時の自動運転で制御された送風機の送風量を示す概略図である。
【図６】（ａ）は、弱状態から中ボタンを押圧操作した場合の電圧波形を示す概略図であり、（ｂ）は、停止状態から中ボタンを押圧操作した場合の電圧波形を示す概略図であり、（ｃ）は、停止状態から弱ボタンを押圧操作した場合の電圧波形を示す概略図である。
【図７】（ａ）は、中状態から弱ボタンを押圧操作した場合の電圧波形を示す概略図であり、（ｂ）は、強状態から中ボタンを押圧操作した場合の電圧波形を示す概略図であり、（ｃ）は、強状態から弱ボタンを押圧操作した場合の電圧波形を示す概略図である。
【符号の説明】
【００６４】
１                客室
２                バス
３                デスク
４                ベッド
５                開閉扉
６                冷媒管
７                管温センサ
８                二方弁
１０              キーユニット
１１              バス灯
１２              デスク灯
１３              ベッド灯
１４              室内灯
１５              テレビ
１６              空調機
１９              出力部
２０              駆動ユニット
２１              操作パネル
２２              入力部
２３              室温センサ
２４              電圧検知部
２５              制御部
２６              タイマ
２６ａ            入力部
【図１】
2008146452.tif 000003
【図２】
2008146452.tif 000004
【図３】
2008146452.tif 000005
【図４】
2008146452.tif 000006
【図５】
2008146452.tif 000007
【図６】
2008146452.tif 000008
【図７】
2008146452.tif 000009
【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を（所定の時間Ｂ）継続して形成される電圧波形から、前記第１出力状態を（前記時間Ｂよりも短い時間Ａ）継続して形成される所望の電圧波形に移行する際に、前記第１出力状態を（前記時間Ａよりも更に短い時間）継続して形成される電圧波形を開始し、所定周期、該電圧波形を形成した後に、前記所望の電圧波形に移行することを特徴とする電圧制御装置。
【請求項２】
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を（所定の時間Ａ）継続して形成される電圧波形から、前記第１出力状態を（前記時間Ａよりも長い時間Ｂ）継続して形成される所望の電圧波形に移行する際に、前記第１出力状態を（前記時間Ｂよりも更に長い時間）継続して形成される電圧波形を開始し、所定周期、該電圧波形を形成した後に、前記所望の電圧波形に移行することを特徴とする電圧制御装置。
【手続補正２】
【補正対象書類名】明細書
【補正対象項目名】０００６
【補正方法】変更
【補正の内容】
【０００６】
上記課題を解決するために、本発明の請求項１に記載の電圧制御装置は、
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を（所定の時間Ｂ）継続して形成される電圧波形から、前記第１出力状態を（前記時間Ｂよりも短い時間Ａ）継続して形成される所望の電圧波形に移行する際に、前記第１出力状態を（前記時間Ａよりも更に短い時間）継続して形成される電圧波形を開始し、所定周期、該電圧波形を形成した後に、前記所望の電圧波形に移行することを特徴としている。
この特徴によれば、第１出力状態を（所定の時間Ｂ）継続して形成される電圧波形から、第１出力状態を（この時間Ｂよりも短い時間Ａ）継続して形成される所望の電圧波形に移行する際に、一時的に第１出力状態の継続時間が更に短い電圧波形を経由して、所望の電圧波形に移行することで、負荷機器の出力を強める変更に対しても、負荷機器の出力の移行をスムーズに行うことが出来る。
【手続補正３】
【補正対象書類名】明細書
【補正対象項目名】０００７
【補正方法】変更
【補正の内容】
【０００７】
本発明の請求項２に記載の電圧制御装置は、
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を（所定の時間Ａ）継続して形成される電圧波形から、前記第１出力状態を（前記時間Ａよりも長い時間Ｂ）継続して形成される所望の電圧波形に移行する際に、前記第１出力状態を（前記時間Ｂよりも更に長い時間）継続して形成される電圧波形を開始し、所定周期、該電圧波形を形成した後に、前記所望の電圧波形に移行することを特徴としている。
この特徴によれば、第１出力状態を（所定の時間Ａ）継続して形成される電圧波形から、第１出力状態を（この時間Ａよりも長い時間Ｂ）継続して形成される所望の電圧波形に移行する際に、一時的に第１出力状態の継続時間が更に長い電圧波形を経由して、所望の電圧波形に移行することで、負荷機器の出力を弱める変更に対しても、負荷機器の出力の移行をスムーズに行うことが出来る。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正書】
【提出日】平成19年6月13日(2007.6.13)
【手続補正１】
【補正対象書類名】特許請求の範囲
【補正対象項目名】全文
【補正方法】変更
【補正の内容】
【特許請求の範囲】
【請求項１】
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を所定の時間Ｂ継続して形成される電圧波形から、前記第１出力状態を前記時間Ｂよりも短い時間Ａ継続して形成される所望の電圧波形に移行する際に、前記第１出力状態を前記時間Ａよりも更に短い時間継続して形成される電圧波形を開始し、所定周期、該電圧波形を形成した後に、前記所望の電圧波形に移行することを特徴とする電圧制御装置。
【請求項２】
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を所定の時間Ａ継続して形成される電圧波形から、前記第１出力状態を前記時間Ａよりも長い時間Ｂ継続して形成される所望の電圧波形に移行する際に、前記第１出力状態を前記時間Ｂよりも更に長い時間継続して形成される電圧波形を開始し、所定周期、該電圧波形を形成した後に、前記所望の電圧波形に移行することを特徴とする電圧制御装置。
【手続補正２】
【補正対象書類名】明細書
【補正対象項目名】０００６
【補正方法】変更
【補正の内容】
【０００６】
上記課題を解決するために、本発明の請求項１に記載の電圧制御装置は、
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を所定の時間Ｂ継続して形成される電圧波形から、前記第１出力状態を前記時間Ｂよりも短い時間Ａ継続して形成される所望の電圧波形に移行する際に、前記第１出力状態を前記時間Ａよりも更に短い時間継続して形成される電圧波形を開始し、所定周期、該電圧波形を形成した後に、前記所望の電圧波形に移行することを特徴としている。
この特徴によれば、第１出力状態を所定の時間Ｂ継続して形成される電圧波形から、第１出力状態をこの時間Ｂよりも短い時間Ａ継続して形成される所望の電圧波形に移行する際に、一時的に第１出力状態の継続時間が更に短い電圧波形を経由して、所望の電圧波形に移行することで、負荷機器の出力を強める変更に対しても、負荷機器の出力の移行をスムーズに行うことが出来る。
【手続補正３】
【補正対象書類名】明細書
【補正対象項目名】０００７
【補正方法】変更
【補正の内容】
【０００７】
本発明の請求項２に記載の電圧制御装置は、
少なくとも負荷機器と交流電源との間に設けられ、
交流電源側から得られる電圧波形に対して、その電圧の瞬時電圧値が略０ボルト時において、前記負荷機器への電圧供給を略０ボルトにする第１出力状態を開始し、前記略０ボルト時から所定時間、前記第１出力状態を継続する電圧制御装置であって、
前記第１出力状態を継続させる所定時間を可変に設定し、異なる電圧波形を形成できるようになっており、
前記第１出力状態を所定の時間Ａ継続して形成される電圧波形から、前記第１出力状態を前記時間Ａよりも長い時間Ｂ継続して形成される所望の電圧波形に移行する際に、前記第１出力状態を前記時間Ｂよりも更に長い時間継続して形成される電圧波形を開始し、所定周期、該電圧波形を形成した後に、前記所望の電圧波形に移行することを特徴としている。
この特徴によれば、第１出力状態を所定の時間Ａ継続して形成される電圧波形から、第１出力状態をこの時間Ａよりも長い時間Ｂ継続して形成される所望の電圧波形に移行する際に、一時的に第１出力状態の継続時間が更に長い電圧波形を経由して、所望の電圧波形に移行することで、負荷機器の出力を弱める変更に対しても、負荷機器の出力の移行をスムーズに行うことが出来る。